(57)【要約】【課題】従来のアナログテレビ用のリモコンを使用して、当該アナログテレビでデジタル放送を視聴できるデジタル放送受信装置を提供する。【解決手段】アナログテレビ（１０５）用リモコン信号（Ｓｒ）に基づいて、デジタル放送（ＤＢ）中の特定の番組を、アナログテレビ（１０５）で受信できるアナログ放送波（ＡＢ）として出力するデジタル放送受信装置（１０１）において、アナログテレビ用リモコン信号受信器（１０３ａ）はリモコン信号（Ｓｒ）を解読して選局指示信号（Ｓｔｃ）およびアナログ放送変換指示信号（Ｓａｃ）を生成し、デジタル放送受信器（１０２）は選局指示信号（Ｓｔｃ）に基づいてデジタル放送波（ＤＢ）から特定の番組を選局して音声（Ｓａ）と映像（Ｓｖ）を抽出し、アナログテレビ用変調器（１０４）はアナログ放送変換指示信号（Ｓａｃ）に基づいて音声（Ｓａ）と映像（Ｓｖ）をアナログ放送波（ＡＢ）に変換する。【選択図】図１
2008054153.tif 000002
【特許請求の範囲】
【請求項１】
アナログテレビ用のリモコンから送出されるリモコン信号に基づいて、デジタル放送中の特定の番組を、アナログテレビで受信できるアナログ放送波として出力するデジタル放送受信装置であって、
前記リモコンから送出されるリモコン信号を解読して選局指示信号およびアナログ放送変換指示信号を生成するアナログテレビ用変換手段と、
前記選局指示信号に基づいて、前記デジタル放送波から前記特定の番組を選局して音声と映像を抽出するデジタル放送受信手段と、
前記アナログ放送変換指示信号に基づいて、前記音声と前記映像を前記アナログ放送波に変換するアナログテレビ用変調手段とを備えるデジタル放送受信装置。
【請求項２】
前記アナログテレビ用変換手段は前記リモコン信号の解読に必要な解読データを備える請求項１に記載のデジタル放送受信装置。
【請求項３】
前記リモコン信号の複数種類の解読データを格納するリモコン信号解読データ格納手段と、
前記リモコン信号解読データ格納手段から前記複数の格納データの任意の１つを前記アナログテレビ用変換器に出力させるリモコン信号指示手段とを更に備える請求項１に記載のデジタル放送受信装置。
【請求項４】
前記リモコン信号の特徴を検出して特徴データを生成するリモコン信号特徴検出手段と、
前記特徴データに基づいて、前記リモコン信号の解読に必要な解読データを生成するリモコン信号解読手段とを更に備え、
当該アナログテレビ用変換手段は当該解読データに基づいて前記リモコン信号を解読することを特徴とする請求項１に記載のデジタル放送受信装置。
【請求項５】
前記解読データを格納すると共に前記アナログテレビ用変換手段に供給する解読データ供給手段を更に備える請求項４に記載のデジタル放送受信装置。
【発明の詳細な説明】
【技術分野】
【０００１】
本発明はアナログ放送受信装置でデジタル放送の視聴を可能にするデジタル放送受信装置であって、更に詳述すれば、当該アナログ放送受信装置用のリモコン装置による指示を受けるデジタル放送受信装置に関する。
【背景技術】
【０００２】
世界的にテレビ放送がアナログからデジタルに移行しつつある。このような環境下において、中継局がアナログ放送からデジタル放送に切り替わっても、シームレスな受信を可能にするセットトップボックス（特許文献１）が提案されている。しかしながら、この方法は、セットトップボックスを必要としない従来のアナログ放送受信装置（以降、「アナログテレビ」）には好ましくない。
【０００３】
従来のアナログテレビを利用してデジタル放送を視聴するには、別途デジタル放送受信装置を入手して、アナログ放送受信装置（以降、「アナログテレビ」）に接続する必要がある。この場合、アナログテレビはアナログテレビ用のリモコンで操作し、デジタル放送受信装置はデジタル放送受信装置用のリモコンで操作する必要があり、二つのリモコンを使い分ける必要があり煩わしい。この煩わしさを改善するために、デジタル放送受信装置のリモコンにアナログテレビの操作機能を付加する技術も存在している。
【特許文献１】特開２００３−２１９３１２号公報
【発明の開示】
【発明が解決しようとする課題】
【０００４】
しかしながら、アナログテレビでデジタル放送を視聴するための上述の従来の技術では、ユーザはアナログテレビ用とデジタル放送受信装置用の二つのリモコンを使い分けるか、新しく接続したデジタル放送受信装置のリモコンを使用する必要がある。それゆえに、使い慣れたアナログテレビ用リモコンのみを使い続けてデジタル放送も視聴したいというユーザの要望に応えられない。
【０００５】
よって、本発明は上述の問題に鑑みて、従来のアナログテレビ用のリモコンを使用して、当該アナログテレビでデジタル放送を視聴できるデジタル放送受信装置を提供することを目的とする。
【課題を解決するための手段】
【０００６】
上記目的を達成するために、本発明に係るデジタル放送受信装置は、
アナログテレビ用のリモコンから送出されるリモコン信号に基づいて、デジタル放送中の特定の番組を、アナログテレビで受信できるアナログ放送波として出力するデジタル放送受信装置であって、
前記リモコンから送出されるリモコン信号を解読して選局指示信号およびアナログ放送変換指示信号を生成するアナログテレビ用変換手段と、
前記選局指示信号に基づいて、前記デジタル放送波から前記特定の番組を選局して音声と映像を抽出するデジタル放送受信手段と、
前記アナログ放送変換指示信号に基づいて、前記音声と前記映像を前記アナログ放送波に変換するアナログテレビ用変調手段とを備える。
【０００７】
本発明に係るデジタル放送受信装置において、前記アナログテレビ用変換手段は前記リモコン信号の解読に必要な解読データを備えることが好ましい。
【０００８】
本発明に係るデジタル放送受信装置は、前記リモコン信号の複数種類の解読データを格納するリモコン信号解読データ格納手段と、
前記リモコン信号解読データ格納手段から前記複数の格納データの任意の１つを前記アナログテレビ用変換器に出力させるリモコン信号指示手段とを更に備えることが好ましい。
【０００９】
本発明に係るデジタル放送受信装置は、前記リモコン信号の特徴を検出して特徴データを生成するリモコン信号特徴検出手段と、
前記特徴データに基づいて、前記リモコン信号の解読に必要な解読データを生成するリモコン信号解読手段とを更に備え、
当該アナログテレビ用変換手段は当該解読データに基づいて前記リモコン信号を解読することが好ましい。
【００１０】
本発明に係るデジタル放送受信装置は、前記解読データを格納すると共に前記アナログテレビ用変換手段に供給する解読データ供給手段を更に備えることが好ましい。
【発明の効果】
【００１１】
本発明に係るデジタル放送受信装置を用いることによって、ユーザは従来のアナログテレビ用のリモコンを使用して、当該アナログテレビでデジタル放送を視聴できる。よって、ユーザの利便性が向上すると同時に、アナログ放送からデジタル放送への移行時のユーザの負担を軽減できる。
【発明を実施するための最良の形態】
【００１２】
（第１の実施の形態）
図１を参照して、本発明の第１の実施の形態に係るデジタル放送受信装置について説明する。デジタル放送受信装置１０１ａは、デジタル放送受信器１０２、アナログテレビ用リモコン信号受信器１０３ａ、およびアナログテレビ用変調器１０４を含む。なお、デジタル放送受信装置１０１ａはアナログテレビ用変調器１０４を介して、アナログテレビ１０５に接続される。アナログテレビ用リモコン１０６は、アナログテレビ１０５の操作に用いられるもので、通常アナログテレビ１０５の付属品として供給されているが、付属品でなくてもかまわない。
【００１３】
ユーザが視聴を所望する番組のチャンネルをアナログテレビ１０５に対して指示するべく、アナログテレビ用リモコン１０６上のボタンを押すと、アナログテレビ用リモコン１０６からは同チャンネルで放送されている番組の受信および表示を指示するリモコン信号Ｓｒが送出される。なお、リモコン信号Ｓｒは本来アナログテレビ１０５に対する指示信号であり、デジタル放送テレビに対する指示信号ではない。
【００１４】
なお、アナログテレビ用リモコン１０６から送出されたリモコン信号Ｓｒはアナログテレビ１０５およびアナログテレビ用リモコン信号受信器１０３ａの双方で受信される。アナログテレビ１０５は、上述のように正当な指示信号であるリモコン信号Ｓｒに従って、ユーザが所望の動作を行う。
【００１５】
アナログテレビ用リモコン信号受信器１０３ａは、受信したリモコン信号Ｓｒを解読して、ユーザが受信を指示したチャンネルでのアナログ放送に相当するデジタル放送を特定する。つまり、アナログテレビ用リモコン信号受信器１０３ａは、デジタル放送受信装置１０１ｂが用いられるアナログテレビ１０５に対応する種類のリモコン信号Ｓｒの解読に必要な解読データＤＤ（不図示）を有している。
【００１６】
そして、アナログテレビ用リモコン信号受信器１０３ａは、特定されたデジタル放送への選局を指示する選局指示信号Ｓｔｃを生成して、デジタル放送受信器１０２に出力する。アナログテレビ用リモコン信号受信器１０３ａは、更に、ユーザが指示したチャンネルでのアナログ放送波の形式および周波数を表すアナログ放送変換指示信号Ｓａｃを生成してアナログテレビ用変調器１０４に出力する。つまり、アナログテレビ用リモコン信号受信器１０３ａは、アナログテレビ用リモコン１０６から送出されたリモコン信号Ｓｒを、デジタル放送受信器１０２およびアナログテレビ用変調器１０４に対する指示信号（選局指示信号Ｓｔｃ、アナログ放送変換指示信号Ｓａｃ）に変換している。
【００１７】
デジタル放送受信器１０２は、選局指示信号Ｓｔｃに基づいて、デジタル放送波ＤＢから該当する放送を受信し受信した映像Ｓｖと音声Ｓａを抽出して、アナログテレビ用変調器１０４に供給する。アナログテレビ用変調器１０４は、映像Ｓｖと音声Ｓａをアナログテレビ１０５で受信できる形式と周波数を有するアナログ放送波ＡＢに変換して、アナログテレビ１０５に出力する。
【００１８】
ユーザがアナログ放送を受信していたアナログテレビ１０５の設定を変更していない場合は、アナログテレビ用リモコン１０６の信号により選局される周波数にあわせて、アナログテレビ用変調器１０４は周波数を変更するように設定される。
【００１９】
一方、アナログテレビ１０５の設定が変更されていて、実際に受信する周波数とチャンネルとの関係が変更されている場合には、以下に述べる２つの何れかの方法が考えられる。第１の方法は、アナログテレビ用リモコン１０６とアナログテレビ用リモコン信号受信器１０３ａとのチャンネル関係を、アナログテレビ用リモコン１０６とアナログテレビ１０５との間で実際に関連づけられたチャンネルの関係と同様に設定する。第２の方法は、アナログテレビ用リモコン１０６のどのチャンネルを押しても受信周波数を特定の一周波数となるようにし、アナログテレビ用変調器１０４はその特定の一周波数に固定する。
【００２０】
上述のように、本実施の形態においては、デジタル放送受信装置１０１ａはアナログテレビ用リモコン１０６から送出されるリモコン信号Ｓｒに基づいて、ユーザの所望する放送を受信して、アナログテレビ１０５で受信できるアナログ放送波ＡＢとして出力する。よって、ユーザはアナログテレビ用リモコン１０６のみを操作することにより、アナログテレビ１０５で従来のアナログ放送と同様にデジタル放送を視聴できる。
【００２１】
（第２の実施の形態）
図２を参照して、本発明の第２の実施の形態に係るデジタル放送受信装置について説明する。第１の実施の形態がリモコン信号Ｓｒの種類が１種類で且つ固定である場合を想定して考案されているのに対して、本実施の形態は複数種類のリモコン信号Ｓｒが任意に用いられる場合に対応するべく考案されている。つまり、本実施の形態に係るデジタル放送受信装置１０１ｂは、様々の種類のアナログテレビ１０５に接続されて用いられるために、接続されるアナログテレビ１０５の種類毎に用いられているリモコン信号Ｓｒの全種類に対応する。
【００２２】
このために、デジタル放送受信装置１０１ｂは、図１に示したデジタル放送受信装置１０１ａにおいて、リモコン信号解読データ格納器２０１およびリモコン信号指示器２０２が追加されると共に、アナログテレビ用変換器１０３ａがアナログテレビ用リモコン信号受信器１０３ｂに交換されて構成される。
【００２３】
リモコン信号解読データ格納器２０１は、コード体系や周波数などのリモコン信号Ｓｒの解読に必要な解読データＤＤをリモコン信号Ｓｒの種類毎に格納している。リモコン信号指示器２０２は、アナログテレビ用リモコン１０６に用いられているリモコン信号Ｓｒの種類を表すリモコン信号指示Ｉｓｒを生成してリモコン信号解読データ格納器２０１に出力する。なお、リモコン信号指示器２０２は、機械的スイッチあるいはメモリ等によって構成されて、ユーザの操作によりリモコン信号指示Ｉｓｒを出力する。
【００２４】
リモコン信号解読データ格納器２０１は、リモコン信号指示Ｉｓｒにもとづいて、使用されるアナログテレビ用リモコン１０６のリモコン信号Ｓｒに適合する解読データＤＤをアナログテレビ用リモコン信号受信器１０３ｂに出力する。アナログテレビ用リモコン信号受信器１０３ｂは、リモコン信号解読データ格納器２０１から出力された解読データＤＤに基づいて、アナログテレビ用リモコン１０６から送出されたリモコン信号Ｓｒを正しく解読して選局指示信号Ｓｔｃおよびアナログ放送変換指示信号Ｓａｃを出力する。
【００２５】
上述のように、アナログテレビ用リモコン信号受信器１０３ｂはアナログテレビ１０５に用いられているリモコン信号Ｓｒに対応する解読データＤＤがリモコン信号解読データ格納器２０１から供給される。そのために、リモコン信号解読データ格納器２０１は、デジタル放送受信装置１０１ｂ（アナログテレビ用リモコン信号受信器１０３ｂ）が適用されると考えられるアナログテレビ１０５に用いられているリモコン信号Ｓｒの種類毎の解読データＤＤが予め登録（格納）されている。
【００２６】
一方、第１の実施の形態に係るアナログテレビ用リモコン信号受信器１０３ａが適用されるアナログテレビ１０５に用いられている１種類のリモコン信号Ｓｒに対応する解読データＤＤを内蔵している。つまり、デジタル放送受信装置１０１ａ（アナログテレビ用リモコン信号受信器１０３ａ）では、１種類のリモコン信号Ｓｒを用いた種類のアナログテレビ１０５（アナログテレビ用リモコン１０６）に固定的に適用できる。
【００２７】
本実施の形態においては、アナログテレビ用リモコン信号受信器１０３ｂが解読データＤＤを揮発的或いは不揮発的に保持するように構成することができる。前者の場合には、デジタル放送受信装置１０１ｂを起動させるたびに、ユーザはリモコン信号指示器２０２を操作して、使用するアナログテレビ１０５およびアナログテレビ用リモコン１０６に用いられているリモコン信号Ｓｒに対応する解読データＤＤをアナログテレビ用リモコン信号受信器１０３ｂに供給してやれば良い。後者の場合は、新たな種類のリモコン信号Ｓｒが用いられているアナログテレビ１０５（アナログテレビ用リモコン１０６）に、デジタル放送受信装置１０１ｂを接続する場合にのみ、ユーザはリモコン信号指示器２０２を操作して対応する解読データＤＤをアナログテレビ用リモコン信号受信器１０３ｂに供給してやれば良い。
【００２８】
上述のように、本実施の形態においては、使用され得る既知の種類のリモコン信号Ｓｒの解読データＤＤを登録しておくことによって、デジタル放送受信装置１０１ｂは登録された種々のリモコン信号Ｓｒを用いた複数種類のアナログテレビ１０５（アナログテレビ用リモコン１０６）に任意に適用できる。
【００２９】
（第３の実施の形態）
図３を参照して、本発明の第３の実施の形態に係るデジタル放送受信装置について説明する。第１の実施の形態および第２の実施の形態が種類数および適用が固定／任意の違いはあるものの、適用され得るリモコン信号Ｓｒを予め登録（解読データＤＤが格納）しておいて、対応するべく考案されている。これに対して、本実施の形態に係るデジタル放送受信装置１０１ｃは、予め登録（解読データＤＤが格納されて）されていないリモコン信号Ｓｒにも対応するべく考案されている。
【００３０】
このために、デジタル放送受信装置１０１ｃは、図２に示したデジタル放送受信装置１０１ｂにおいて、アナログテレビ用リモコン信号受信器１０３ｂ、リモコン信号解読データ格納器２０１、およびリモコン信号指示器２０２が、それぞれアナログテレビ用リモコン信号受信器１０３ｂ、リモコン信号解読器３０１、およびリモコン信号記録器３０２に交換されている。アナログテレビ用リモコン信号受信器１０３ｃ、リモコン信号解読器３０１、およびリモコン信号記録器３０２は、アナログテレビ用リモコン１０６から送出されたリモコン信号Ｓｒを受信して、当該リモコン信号Ｓｒの解読データＤＤとして記憶するリモコン信号学習機構を構成している。
【００３１】
具体的には、アナログテレビ用リモコン信号受信器１０３ｃは、受信したリモコン信号Ｓｒの特徴を検出して、特徴データＤｓｒをリモコン信号解読器３０１に出力する。リモコン信号解読器３０１は特徴データＤｓｒに基づいて、リモコン信号Ｓｒを解読して解読データＤＤを生成する。生成された解読データＤＤはリモコン信号記録器３０２に出力される。
【００３２】
リモコン信号記録器３０２はリモコン信号解読器３０１から入力された解読データＤＤを格納すると共にリモコン信号Ｓｒを登録する。次回からは、アナログテレビ用リモコン信号受信器１０３ｃは、このようにしてリモコン信号記録器３０２に格納された解読データＤＤに基づいて、リモコン信号Ｓｒを正しく解読して選局指示信号Ｓｔｃおよびアナログ放送変換指示信号Ｓａｃを生成する。
【００３３】
なお、本実施の形態においては、リモコン信号解読器３０１で生成された解読データＤＤはリモコン信号記録器３０２を介してアナログテレビ用リモコン信号受信器１０３ｃに供給するように構成されている。この結果、一旦学習されたリモコン信号Ｓｒの解読データＤＤは、新たなリモコン信号Ｓｒが学習されるまでは、リモコン信号記録器３０２に格納されているので、再度学習させる必要はない。
【００３４】
このように、本実施の形態においては、アナログテレビ用リモコン信号受信器１０３ｃは解読データＤＤを揮発的に保持しているために、リモコン信号記録器３０２を必要としている。しかしながら、不揮発的に解読データＤＤを保持するようにアナログテレビ用リモコン信号受信器１０３ｃを構成すれば、リモコン信号記録器３０２は不要となる。
【００３５】
上述のように、本実施の形態においては、予め登録（解読データＤＤが格納）されていない種類のリモコン信号Ｓｒを用いる複数種類のアナログテレビ１０５（アナログテレビ用リモコン１０６）にも適用できる。
【００３６】
本明細書においては、本発明の第１の実施の形態、第２の実施の形態、および第３の実施の形態に係るデジタル放送受信装置１０１ａ、１０１ｂ、および１０１ｃとそれぞれ独立して説明している。しかしながら、これら３つの実施の形態に係るデジタル放送受信装置１０１ａ、１０１ｂ、および１０１ｃを任意に組み合わせて構成できることはいうまでもない。
【産業上の利用可能性】
【００３７】
本発明は、アナログ放送からデジタル放送への移行に際し、従来のアナログテレビジョンを利用してデジタル放送の視聴を可能にするデジタル放送受信装置に利用できる。
【図面の簡単な説明】
【００３８】
【図１】本発明の第１の実施の形態に係るデジタル放送受信装置の構成を示すブロック図
【図２】本発明の第２の実施の形態に係るデジタル放送受信装置の構成を示すブロック図
【図３】本発明の第３の実施の形態に係るデジタル放送受信装置の構成を示すブロック図
【符号の説明】
【００３９】
１０１ａ、１０１ｂ、１０１ｃ    デジタル放送受信装置
１０２    デジタル放送受信器
１０３ａ、１０３ｂ、１０３ｃ    アナログテレビ用リモコン信号受信器
１０４    アナログテレビ用変調器
１０５    アナログテレビ
１０６    アナログテレビ用リモコン
２０１    リモコン信号解読データ格納部
２０２    リモコン信号指示器
３０１    リモコン信号解読器
３０２    リモコン信号記録器
【図１】
2008054153.tif 000003
【図２】
2008054153.tif 000004
【図３】
2008054153.tif 000005